(57)【特許請求の範囲】
【請求項１】
第１の銀行サーバが、ユーザからのカード無し現金引き出しの予約要求を受信した時、前記予約要求がカード無し現金引き出しの条件を満たす銀行間でのカード無し現金引き出しの予約要求であるか否かを判定することと、
前記予約要求が銀行間でのカード無し現金引き出しの予約要求であり、且つカード無し現金引き出しの条件を満たす場合、第１の銀行サーバが、予め記憶されている銀行サーバと銀行識別情報とのマッピング関係に基づいて、前記予約要求における銀行識別情報に対応する第２の銀行サーバを確定することと、
第２の銀行サーバが受信した銀行間でのカード無し現金引き出し情報に基づいて、制御している現金引き出し端末にユーザによるカード無し現金引き出し操作の受付を許可するように、第１の銀行サーバが、前記予約要求に対応する銀行間でのカード無し現金引き出し情報を確定された第２の銀行サーバに通知することとを含むカード無しで現金引き出しする取引方法。
【請求項２】
前記第１の銀行サーバが前記要求に対応する銀行間でのカード無し現金引き出し情報を確定された第２の銀行サーバに通知するステップの後、
第２の銀行サーバが、受信した銀行間でのカード無し現金引き出し情報を審査することと、
受信した銀行間でのカード無し現金引き出し情報が審査にパスした後、第２の銀行サーバが、受信した銀行間でのカード無し現金引き出し情報に基づいて、制御している現金引き出し端末にユーザによるカード無し現金引き出し操作の受付を許可することとを更に含む請求項１に記載のカード無しで現金引き出しする取引方法。
【請求項３】
第２の銀行サーバが受信した銀行間でのカード無し現金引き出し情報に基づいて、制御している現金引き出し端末にユーザによるカード無し現金引き出し操作の受付を許可するように、前記第１の銀行サーバが、前記予約要求に対応する銀行間でのカード無し現金引き出し情報を確定された第２の銀行サーバに通知するステップの後、
第２の銀行サーバが、制御している現金引き出し端末から送信されたカード無し現金引き出し要求を受信した時、予め記憶されている、第１の銀行サーバから受信された銀行間でのカード無し現金引き出し情報のうち、前記カード無し現金引き出し要求におけるカード無し現金引き出し情報に合致するものがあるか否かを解析することと、
第２の銀行サーバが、予め記憶されている、第１の銀行サーバから受信された銀行間でのカード無し現金引き出し情報のうち、前記現金引き出し要求における現金引き出し情報に合致するものがある場合に、カード無し現金引き出し要求を送信した現金引き出し端末を、カード無し現金引き出し操作を行うように制御することとを更に含む請求項１又は２に記載のカード無しで現金引き出しする取引方法。
【請求項４】
前記銀行間でのカード無し現金引き出し情報は、特定の現金引き出し端末の識別子と、銀行間でのカード無し現金引き出しのための証明情報とを含む請求項３に記載のカード無しで現金引き出しする取引方法。
【請求項５】
カード無し現金引き出し操作に成功した後、第２の銀行サーバが、前記カード無し現金引き出しの予約情報に取引完成フラグを設定し、前記取引完成フラグが設定されたカード無し現金引き出しの予約情報を第１の銀行サーバに送信することを更に含む請求項１に記載のカード無しで現金引き出しする取引方法。
【請求項６】
ユーザからのカード無し現金引き出しの予約要求を受信した時、前記予約要求がカード無し現金引き出しの条件を満たす銀行間でのカード無し現金引き出しの予約要求であるか否かを判定するように構成される解析モジュールと、
前記予約要求が銀行間でのカード無し現金引き出しの予約要求であり、且つカード無し現金引き出しの条件を満たす場合、予め記憶されている銀行サーバと銀行識別情報とのマッピング関係に基づいて、前記予約要求における銀行識別情報に対応する第２の銀行サーバを確定するように構成される処理モジュールと、
第２の銀行サーバが受信した銀行間でのカード無し現金引き出し情報に基づいて、制御している現金引き出し端末にユーザによるカード無し現金引き出し操作の受付を許可するように、前記予約要求に対応する銀行間でのカード無し現金引き出し情報を確定された第２の銀行サーバに通知するように構成されるデータ受送信モジュールとを備えるカード無しで現金引き出しする取引装置。
【請求項７】
受信した銀行間でのカード無し現金引き出し情報を審査し、受信した銀行間でのカード無し現金引き出し情報が審査にパスした後、受信した銀行間でのカード無し現金引き出し情報に基づいて、制御している現金引き出し端末にユーザによるカード無し現金引き出し操作の受付を許可するように構成される審査モジュールを更に含む請求項６に記載のカード無しで現金引き出しする取引装置。
【請求項８】
前記解析モジュールは更に、制御している現金引き出し端末から送信されたカード無し現金引き出し要求を受信した時、予め記憶されている、第１の銀行サーバから受信された銀行間でのカード無し現金引き出し情報のうち、前記カード無し現金引き出し要求におけるカード無し現金引き出し情報に合致するものがあるか否かを解析するように構成され、
処理モジュールは、予め記憶されている、第１の銀行サーバから受信された銀行間でのカード無し現金引き出し情報のうち、前記現金引き出し要求における現金引き出し情報に合致するものがある場合に、カード無し現金引き出し要求を送信した現金引き出し端末を、カード無し現金引き出し操作を行うように制御するように構成される請求項６又は７に記載のカード無しで現金引き出しする取引装置。
【請求項９】
前記銀行間でのカード無し現金引き出し情報は、特定の現金引き出し端末の識別子と、銀行間でのカード無し現金引き出しのための証明情報とを含む請求項６に記載のカード無しで現金引き出しする取引装置。
【請求項１０】
前記処理モジュールは更に、カード無し現金引き出し操作に成功した後、前記カード無し現金引き出しの予約情報に取引完成フラグを設定し、前記取引完成フラグが設定されたカード無し現金引き出しの予約情報をデータ受送信モジュールにより第１の銀行サーバに送信するように構成される請求項６に記載のカード無しで現金引き出しする取引装置。
【発明の詳細な説明】
【技術分野】
【０００１】
本発明は、銀行取引分野に関し、特に、カード無しで現金引き出しする取引方法及び装置に関する。
【背景技術】
【０００２】
日常生活において、人々は多くの銀行カードを持って、それを管理することが非常に不便になり、常に持っていると失ったり壊れたりする問題が発生する。しかし、銀行カードを持っていない時、現金が必要になると、非常に不便である。これにより、カード無しで現金引き出しする技術が提案されている。
【０００３】
現在のカード無しで現金引き出しするサービスは殆ど、モバイルバンキングを介して現金引き出しを予約し、携帯電話番号、予約番号、銀行から送信されたランダムパスワード等の情報に基づいて、有効な予約期間内に、対応する銀行の現金引き出し端末からカード無しで現金引き出しすることである。例えば、平安銀行の場合、カード保有者がモバイルバンキング業務を開通した後、予めモバイルバンキングを介してカード無しの現金引き出しを予約し、予約に成功した後、平安銀行の現金引き出し端末で携帯電話番号又は予約番号を入力し、携帯電話で平安銀行のサーバから送信されたセキュリティコードメッセージを受信し、その後、現金引き出し端末にメッセージのセキュリティコードと、引き出し金額と、銀行カードのパスワードを入力して、カード無しの現金引き出しを完成する。
【０００４】
しかしながら、既存のカード無しの現金引き出し方式はただ、該当銀行の範囲内での使用に限定され、銀行間で現金引き出しすることはできない。
【発明の概要】
【発明が解決しようとする課題】
【０００５】
本発明の実施例は、銀行間でのカード無しの現金引き出しを実現することで、ユーザが位置するエリアにおける最も近い現金引き出し端末にて即時にカード無しの現金引き出し操作を行うことができ、ユーザの体験を向上可能であるカード無しで現金引き出しする取引方法及び装置を提供する。
【課題を解決するための手段】
【０００６】
本発明の実施例は、
第１の銀行サーバが、ユーザからのカード無し現金引き出しの予約要求を受信した時、前記予約要求がカード無し現金引き出しの条件を満たす銀行間でのカード無し現金引き出しの予約要求であるか否かを判定することと、
前記予約要求が銀行間でのカード無し現金引き出しの予約要求であり、且つカード無し現金引き出しの条件を満たす場合、第１の銀行サーバが、予め記憶されている銀行サーバと銀行識別情報とのマッピング関係に基づいて、前記予約要求における銀行識別情報に対応する第２の銀行サーバを確定することと、
第２の銀行サーバが受信した銀行間でのカード無し現金引き出し情報に基づいて、制御している現金引き出し端末にユーザによるカード無し現金引き出し操作の受付を許可するように、第１の銀行サーバが、前記予約要求に対応する銀行間でのカード無し現金引き出し情報を確定された第２の銀行サーバに通知することと、を含むカード無しで現金引き出しする取引方法を提供する。
【０００７】
前記第１の銀行サーバが前記要求に対応する銀行間でのカード無し現金引き出し情報を確定された第２の銀行サーバに通知するステップの後、当該方法は、
第２の銀行サーバが、受信した銀行間でのカード無し現金引き出し情報を審査することと、
受信した銀行間でのカード無し現金引き出し情報が審査にパスした後、第２の銀行サーバが、受信した銀行間でのカード無し現金引き出し情報に基づいて、制御している現金引き出し端末にユーザによるカード無し現金引き出し操作の受付を許可することと、を更に含むことが好ましい。
第２の銀行サーバが受信した銀行間でのカード無し現金引き出し情報に基づいて、制御している現金引き出し端末にユーザによるカード無し現金引き出し操作の受付を許可するように、前記第１の銀行サーバが、前記予約要求に対応する銀行間でのカード無し現金引き出し情報を確定された第２の銀行サーバに通知するステップの後、当該方法は、
第２の銀行サーバが、制御している現金引き出し端末から送信されたカード無し現金引き出し要求を受信した時、予め記憶されている、第１の銀行サーバから受信された銀行間でのカード無し現金引き出し情報のうち、前記カード無し現金引き出し要求におけるカード無し現金引き出し情報に合致するものがあるか否かを解析することと、
第２の銀行サーバが、予め記憶されている、第１の銀行サーバから受信された銀行間でのカード無し現金引き出し情報のうち、前記現金引き出し要求における現金引き出し情報に合致するものがある場合に、カード無し現金引き出し要求を送信した現金引き出し端末を、カード無し現金引き出し操作を行うように制御することと、を更に含むことが好ましい。
【０００８】
前記銀行間でのカード無し現金引き出し情報は、特定の現金引き出し端末の識別子と、銀行間でのカード無し現金引き出しのための証明情報と、を含むことが好ましい。
【０００９】
当該方法は、カード無し現金引き出し操作に成功した後、第２の銀行サーバが、前記カード無し現金引き出しの予約情報に取引完成フラグを設定し、前記取引完成フラグが設定されたカード無し現金引き出しの予約情報を第１の銀行サーバに送信することを更に含むことが好ましい。
【００１０】
本発明の実施例は、
ユーザからのカード無し現金引き出しの予約要求を受信した時、前記予約要求がカード無し現金引き出しの条件を満たす銀行間でのカード無し現金引き出しの予約要求であるか否かを判定するように構成される解析モジュールと、
前記予約要求が銀行間でのカード無し現金引き出しの予約要求であり、且つカード無し現金引き出しの条件を満たす場合、予め記憶されている銀行サーバと銀行識別情報とのマッピング関係に基づいて、前記予約要求における銀行識別情報に対応する第２の銀行サーバを確定するように構成される処理モジュールと、
第２の銀行サーバが受信した銀行間でのカード無し現金引き出し情報に基づいて、制御している現金引き出し端末にユーザによるカード無し現金引き出し操作の受付を許可するように、前記予約要求に対応する銀行間でのカード無し現金引き出し情報を確定された第２の銀行サーバに通知するように構成されるデータ受送信モジュールと、を備えるカード無しで現金引き出しする取引装置を提供する。
【００１１】
当該装置は、
受信した銀行間でのカード無し現金引き出し情報を審査し、受信した銀行間でのカード無し現金引き出し情報が審査にパスした後、受信した銀行間でのカード無し現金引き出し情報に基づいて、制御している現金引き出し端末にユーザによるカード無し現金引き出し操作の受付を許可するように構成される審査モジュールを更に含むことが好ましい。
【００１２】
前記解析モジュールは更に、制御している現金引き出し端末から送信されたカード無し現金引き出し要求を受信した時、予め記憶されている、第１の銀行サーバから受信された銀行間でのカード無し現金引き出し情報のうち、前記カード無し現金引き出し要求におけるカード無し現金引き出し情報に合致するものがあるか否かを解析するように構成され、
処理モジュールは、予め記憶されている、第１の銀行サーバから受信された銀行間でのカード無し現金引き出し情報のうち、前記現金引き出し要求における現金引き出し情報に合致するものがある場合に、カード無し現金引き出し要求を送信した現金引き出し端末を、カード無し現金引き出し操作を行うように制御するように構成されることが好ましい。
【００１３】
前記銀行間でのカード無し現金引き出し情報は、特定の現金引き出し端末の識別子と、銀行間でのカード無し現金引き出しのための証明情報と、を含むことが好ましい。
【００１４】
前記処理モジュールは更に、カード無し現金引き出し操作に成功した後、前記カード無し現金引き出しの予約情報に取引完成フラグを設定し、前記取引完成フラグが設定されたカード無し現金引き出しの予約情報をデータ受送信モジュールにより第１の銀行サーバに送信するように構成されることが好ましい。
【発明の効果】
【００１５】
既存技術に対し、本発明の実施例によると、第１の銀行サーバは、ユーザによるカード無し現金引き出しの予約要求を受信した時、前記予約要求がカード無し現金引き出しの条件を満たす銀行間でのカード無し現金引き出し要求であるか否かを判定し、前記予約要求がカード無し現金引き出しの条件を満たす銀行間でのカード無し現金引き出し要求である場合、前記予約要求における銀行識別情報に対応する第２の銀行サーバを確定し、カード無し現金引き出し情報を第２の銀行サーバに通知し、第２の銀行サーバは制御されている端末にユーザによるカード無し現金引き出しを受け取るように許可する。これにより、銀行間でのカード無し現金引き出しを実現し、ユーザが位置するエリアにおける最も近い現金引き出し端末にて即時にカード無しの現金引き出し操作を行うことができ、ユーザの体験を向上させることができる。
【図面の簡単な説明】
【００１６】
【図１】本発明に係るカード無しで現金引き出しする取引方法の第１の実施例を示すフローチャートである。
【図２】本発明に係るカード無しで現金引き出しする取引方法の第２の実施例を示すフローチャートである。
【図３】本発明に係るカード無しで現金引き出しする取引方法の第３の実施例を示すフローチャートである。
【図４】本発明に係るカード無しで現金引き出しする取引装置の好適な実施例の機能を示すブロック図である。
【発明を実施するための形態】
【００１７】
本発明の目的の達成、機能特徴、メリットを実施例を結合しつつ図面を参照して更に説明する。
【００１８】
なお、ここで説明する具体的な実施例は本発明を限定するものではなく、本発明を解釈するものである。
【００１９】
図１は、本発明のカード無しで現金引き出しする取引方法の第１の実施例を示すフローチャートである。
【００２０】
なお、図１に示すフローチャートは好適な実施例にすぎず、当業者であれば、本発明の構想を中心としてなす実施例は以下の技術案にカバーされている範囲を離脱しないことを理解できる。
【００２１】
第１の銀行サーバは、ユーザのカード無し現金引き出しの予約要求を受信した時、前記予約要求がカード無し現金引き出しの条件を満たす銀行間でのカード無し現金引き出しの予約要求であるか否かを判定し、前記予約要求がカード無し現金引き出しの条件を満たす銀行間でのカード無し現金引き出しの予約要求である場合、予め記憶されている銀行サーバと銀行識別情報とのマッピング関係に基づいて、前記予約要求における銀行識別情報に対応する第２の銀行サーバを確定し、第２の銀行サーバが受信した銀行間でのカード無し現金引き出し情報に基づいて、制御している現金引き出し端末にユーザによるカード無し現金引き出し操作の受付を許可するように、前記予約要求に対応する銀行間でのカード無し現金引き出し情報を確定された第２の銀行サーバに通知する。
【００２２】
以下は、本実施例によるカード無しの現金引き出しを制御する取引方法を一歩一歩実現する具体的なステップである。
【００２３】
第１の銀行サーバが、ユーザからのカード無し現金引き出しの予約要求を受信した時、前記予約要求がカード無し現金引き出しの条件を満たす銀行間でのカード無し現金引き出しの予約要求であるか否かを判定する（ステップＳ１１）。
【００２４】
具体的に、第１の銀行サーバは、ユーザの登録及び第１の銀行サーバ上の前記ユーザに関連する情報の閲覧に供するヒューマン・コンピュータインタラクションインタフェースを提供し、該ヒューマン・コンピュータインタラクションインタフェースには、例えば銀行カード番号管理メニューなどの業務メニュー、取引情報調査、及びカード無し現金引き出し等の第１の銀行サーバにより提供される任意の業務操作情報がある。第１の銀行サーバへの登録ユーザ名と登録パスワードをログインし、該ユーザ名とユーザの唯一の通信手段とをバインドし、通信手段は携帯番号又はメールアドレス等の任意の唯一の通信手段であることができる。ユーザが、第１の銀行サーバのアプリケーションの端末をアップロードし、ログリンされた登録ユーザ名と登録パスワードで第１の銀行サーバに登録し、第１の銀行サーバが提供したヒューマン・コンピュータインタラクションインタフェースを介して閲覧操作する。第１の銀行サーバは、ユーザからのカード無し現金引き出しの予約要求を受信した時、前記予約要求がカード無し現金引き出しの条件を満たす銀行間でのカード無し現金引き出しの予約要求であるか否かを判定する。前記予約要求には、予約した銀行カード番号、予約したカード無し現金引き出し銀行の識別情報、引き出し金額、現金引き出しするユーザの携帯番号等が含まれている。第１の銀行サーバは、ユーザのカード無し現金引き出しの予約要求を受信した時、該ユーザ名にバインドされた通信手段に対応するデスティネーションアドレスにランダムセキュリティコードを送信し、ユーザが端末上のヒューマン・コンピュータインタラクションインタフェースを介して前記セキュリティコードを入力した時、前記予約要求がカード無し現金引き出しの条件を満たすと判定し、予約要求における予約したカード無し現金引き出し銀行の識別情報を第１の銀行の識別情報と比較し、銀行間でのカード無し現金引き出しであるか否かを検証し、予約要求における予約したカード無し現金引き出し銀行の識別情報が第１の銀行の識別情報に一致しない場合に、当該カード無し現金引き出しの予約要求が銀行間でのカード無し現金引き出しの予約要求であると判定する。前記銀行識別情報は、銀行名又は該銀行が許可した現金引き出し端末の識別子等の銀行の具体的なタイプを識別できる情報であることができる。前記予約要求が銀行間でのカード無し現金引き出しの予約要求であるとともに、カード無し現金引き出しの条件を満たす場合には、以下のステップＳ１２を実行し、前記予約要求がカード無し現金引き出しの条件を満たしていない場合には、ユーザに予約失敗を報知し、ユーザに再度予約可能であることを報知する。前記予約要求が第１の銀行自身のカード無し現金引き出しの予約要求であり、且つカード無し現金引き出しの条件を満たす場合には、ユーザがカード無しで現金引き出しすることのできる任意の現金引き出し端末でカード無し現金引き出し操作を行うように、ユーザに予約成功を通知する。
【００２５】
前記予約要求が銀行間でのカード無し現金引き出しの予約要求であるとともに、カード無し現金引き出しの条件を満たす場合に、第１の銀行サーバが、予め記憶されている銀行サーバと銀行識別情報とのマッピング関係に基づいて、前記予約要求における銀行識別情報に対応する第２の銀行サーバを確定する（ステップＳ１２）。
【００２６】
第２の銀行サーバが受信した銀行間でのカード無し現金引き出し情報に基づいて、制御している現金引き出し端末にユーザによるカード無し現金引き出し操作の受付を許可するように、第１の銀行サーバが、前記予約要求に対応する銀行間でのカード無し現金引き出し情報を確定された第２の銀行サーバに通知する（ステップＳ１３）。
【００２７】
具体的に、前記予約要求が銀行間でのカード無し現金引き出しの予約要求であり、且つカード無し現金引き出しの条件を満たす場合、第１の銀行サーバが、カード無し予約要求におけるカード無し現金引き出し銀行の識別情報を取得し、予め記憶されている銀行サーバと銀行識別情報とのマッピング関係に基づいて、前記予約要求における銀行識別情報に対応する第２の銀行サーバを確定し、即ち、ユーザが第２の銀行でカード無しで現金引き出しすると確定する。第２の銀行サーバが受信した銀行間でのカード無し現金引き出し情報に基づいて、制御している現金引き出し端末にユーザによるカード無し現金引き出し操作の受付を許可するように、第１の銀行サーバが、前記予約要求に対応する銀行間でのカード無し現金引き出し情報を確定された第２の銀行サーバに通知する。第２の銀行サーバは、受信した銀行間でのカード無し現金引き出し情報を審査し、受信した銀行間でのカード無し現金引き出し情報が審査にパスした後、受信した銀行間でのカード無し現金引き出し情報に基づいて、制御している現金引き出し端末にユーザによるカード無し現金引き出し操作の受付を許可する。本実施例では、第１の銀行サーバがカード無しで現金引き出しする取引を制御することが好ましいが、本発明の他の実施例において、第３方のサーバによって制御することもでき、その具体的なプロセスは以下の通りである。第３方のサーバと各銀行サーバとの間に通信接続を確立してデータのやり取りを行う。また、ユーザが該第３方のサーバへの登録名と登録パスワードをログインし、該第３方のサーバのアプリケーションをアップロードして登録し、前記第３方のサーバはいずれの銀行口座番号のカード無し現金引き出しの予約要求も受信可能であり、受信した予約要求における予約内容を、銀行カード番号と銀行サーバとのマッピング関係に基づいて、前記カード無し現金引き出しの予約要求に対応する第１の銀行サーバを確定し、前記カード無し現金引き出しの予約要求を確定された第１の銀行サーバに送信し、また、前記予約要求が銀行間でのカード無し現金引き出しの予約要求であるか否かを解析し、予約要求における予約したカード無し現金引き出し銀行の識別情報を第１の銀行識別情報と比較して、銀行間でのカード無し現金引き出しであるか否かを検証し、予約要求における予約したカード無し現金引き出し銀行の識別情報が第１の銀行識別情報に一致しない場合に、該カード無し現金引き出しの予約要求が銀行間でのカード無し現金引き出しの予約要求であると判定する。第３方のサーバは、前記予約要求が銀行間でのカード無し現金引き出しの予約要求であり、且つカード無し現金引き出しの条件を満たす場合に、予め記憶されている銀行サーバと銀行識別情報とのマッピング関係に基づいて、前記予約要求における銀行識別情報に対応する第２の銀行サーバを確定し、第２の銀行サーバが受信した銀行間でのカード無し現金引き出し情報に基づいて、制御している現金引き出し端末にユーザによるカード無し現金引き出し操作の受付を許可するように、前記予約要求に対応する銀行間でのカード無し現金引き出し情報を確定された第２の銀行サーバに通知する。
【００２８】
本発明の他の実施例において、予約要求には、第２の銀行の特定の現金引き出し端末の識別情報が更に含まれることができ、前記特定の現金引き出し端末の識別情報は第２の銀行中の指定された一つの現金引き出し端末の識別子で、二次元コード等の、現金引き出し端末を区別できる任意の情報であることができる。第２の銀行サーバは、第１の銀行から送信されたカード無し現金引き出し情報を受信した時、受信したカード無し現金引き出し情報に含まれている第２の銀行の特定の現金引き出し端末の識別情報を取得し、受信した銀行間でのカード無し現金引き出し情報を審査する。受信した銀行間でのカード無し現金引き出し情報が審査にパスした後、第２の銀行サーバは、受信した銀行間でのカード無し現金引き出し情報中の第２の銀行の特定の現金引き出し端末の識別情報に基づいて、制御している、前記特定の現金引き出し端末の識別情報に対応する現金引き出し端末に、ユーザによるカード無し現金引き出し操作の受付を許可する。即ち、前記特定の現金引き出し端末の識別情報に対応する現金引き出し端末のみに、ユーザによるカード無し現金引き出し操作を受け付けるように許可し、ユーザはその予約要求に含まれている特定の現金引き出し端末の識別情報に対応する現金引き出し端末にてカード無し現金引き出し操作を行うしかできない。特定の現金引き出し端末の識別情報に対応する現金引き出し端末にカード無しの現金引き出しを許可することで、ユーザがカード無し現金引き出し情報により、任意の地域における現金引き出し端末でカード無し現金引き出し操作を行うことを防止し、資金管理リスクを低減する。
【００２９】
本実施例において、第１の銀行サーバは、ユーザのカード無し現金引き出しの予約要求を受信した時、前記予約要求がカード無し現金引き出しの条件を満たす銀行間でのカード無し現金引き出し要求であるか否かを判定し、前記予約要求が銀行間でのカード無し現金引き出しの予約要求であるとともに、カード無し現金引き出しの条件を満たす場合に、前記予約要求における銀行識別情報に対応する第２の銀行サーバを確定し、第２の銀行サーバが制御している端末にユーザによるカード無し現金引き出しの受付を許可するように、カード無し現金引き出し情報を第２の銀行サーバに通知する。これにより、銀行間でのカード無し現金引き出しを実現し、ユーザが位置するエリアにおける最も近い現金引き出し端末にて即時にカード無しの現金引き出し操作を行うことができ、ユーザの体験を向上させることができる。
【００３０】
図２は、本発明によるカード無しで現金引き出しする取引方法の第２の実施例を示すフローチャートである。
【００３１】
上述した第１の実施例に基づいて、ステップＳ１３の後、該方法は更に以下のステップを含む。
【００３２】
第２の銀行サーバが、制御している現金引き出し端末から送信されたカード無し現金引き出し要求を受信すると、予め記憶されている、第１の銀行サーバから受信された銀行間でのカード無し現金引き出し情報のうち、前記カード無し現金引き出し要求中のカード無し現金引き出し情報に合致するものがあるか否かを解析する（ステップＳ１４）。
【００３３】
第２の銀行サーバは、予め記憶されている、第１の銀行サーバから受信された銀行間でのカード無し現金引き出し情報のうち、前記現金引き出し要求中の現金引き出し情報に合致するものがある場合に、カード無し現金引き出し要求を送信した現金引き出し端末を、カード無し現金引き出し操作を行うように制御する（ステップＳ１５）。
【００３４】
具体的に、第２の銀行サーバは、第１の銀行サーバから送信された銀行間でのカード無し現金引き出し情報を受信した時、第２の銀行サーバにより制御されている現金引き出し端末にユーザによるカード無し現金引き出し操作の受付を許可した後、該銀行間でのカード無し現金引き出し情報を予め記憶する。第２の銀行サーバは、制御している許可済みの現金引き出し端末から送信されたカード無し現金引き出し要求を受信した時、予め記憶されている、第１の銀行サーバから受信した銀行間でのカード無し現金引き出し情報のうち、前記カード無し現金引き出し要求中のカード無し現金引き出し情報に合致するものがあるか否かを解析する。第２の銀行サーバは、予め記憶されている、第１の銀行サーバから受信された銀行間でのカード無し現金引き出し情報のうち、前記現金引き出し要求中の現金引き出し情報に合致するものがある場合に、カード無し現金引き出し要求を送信した現金引き出し端末を、カード無し現金引き出し操作を行うように制御する。一方、予め記憶されている、第１の銀行サーバから受信された銀行間でのカード無し現金引き出し情報のうち、前記カード無し現金引き出し要求中のカード無し現金引き出し情報に合致するものがない場合に、ユーザに、カード無しの現金引き出しに失敗し、正確なカード無し現金引き出し情報を再び入力することを報知する。カード無しの現金引き出しを予約した有効期限が設定された場合には、前記カード無し現金引き出し要求が有効期限を超えているか否かを解析し、有効期限を超えていない時、予め記憶されている、第１の銀行サーバから受信された銀行間でのカード無し現金引き出し情報のうち、前記カード無し現金引き出し要求中のカード無し現金引き出し情報に合致するものがあるか否かを解析し、即ち、許可された現金引き出し端末から送信されたユーザの登録ユーザ名と登録パスワードが前記予約要求における登録名と登録パスワードと一致するか否かを解析し、許可された現金引き出し端末から送信されたユーザの登録ユーザ名と登録パスワードが前記予約要求における登録名と登録パスワードに一致する時、カード無し現金引き出し要求を送信した現金引き出し端末を制御してカード無し現金引き出し操作を行うようにする。また、有効期限を超えた時、ユーザにカード無し現金引き出し操作を行うことができないことを報知する。あるいは、第２のサーバが許可したカード無しで現金引き出し可能な現金引き出し端末から送信されたカード無し現金引き出し要求を受信した時、カード無し現金引き出し要求を第１の銀行サーバに通知し、第１の銀行サーバがランダムパスワードを該ユーザ名にバインドされた通信手段のデスティネーションアドレスに送信し、第２の銀行サーバがユーザから現金引き出し端末を介して送信されたランダムパスワードが第１の銀行サーバからの該カード無し現金引き出し要求に対応するランダムパスワードに一致するか否かを検証し、一致する時、カード無し現金引き出し要求を送信した現金引き出し端末を制御してカード無し現金引き出し操作を行うようにし、即ち、ユーザは該現金引き出し端末にて予約要求に含まれている引き出し金額の引き出し操作を行うことができる。一致しない時、ユーザに正確なランダムパスワードを入力するように促し、間違った入力が３回に達した後、該ランダムパスワードが失効し、ユーザにランダムパスワードの再度取得を促す。
【００３５】
図３は、本発明によるカード無しで現金引き出しする取引方法の第３の実施例を示すフローチャートである。
【００３６】
上述した第１の実施例と第２の実施例に基づいて、該方法は更に、
カード無し現金引き出し操作に成功した後、第２の銀行サーバが、前記カード無し現金引き出しの予約情報に取引完成フラグを設定し、前記取引完成フラグが設定されたカード無し現金引き出しの予約情報を第１の銀行サーバに送信する（ステップＳ１６）ことを含む。
【００３７】
具体的に、ユーザが第２の銀行サーバにより許可された現金引き出し端末を介して、銀行間でのカード無し現金引き出し操作を成功に完成した後、第２の銀行サーバは、前記カード無し現金引き出しの予約情報に取引完成フラグを設定し、前記取引完成フラグが設定されたカード無し現金引き出しの予約情報を第１の銀行サーバに送信する。即ち、前記予約要求に対応する銀行カード番号に対応する取引情報を第１の銀行サーバに送信することによって、ユーザは、第１の銀行サーバのアプリケーションの端末をアップロードして第１の銀行サーバに登録し、第１の銀行サーバにより提供されたヒューマン・コンピュータインタラクションインタフェースを介して自分の銀行カードの取引情報を閲覧し、自分の銀行カード口座の資金取引情報を即時に管理して自分の資金を合理的に配分することができる。本発明の他の実施例において、第２の銀行サーバは、前記カード無し現金引き出しの予約情報に取引完成フラグを設定し、前記取引完成フラグが設定されたカード無し現金引き出しの予約情報を第３方のサーバに送信してもよい。即ち、前記予約要求に対応する銀行カード番号に対応する取引情報を第３方のサーバに送信することによって、ユーザは、第３方のサーバのアプリケーションの端末をアップロードして第３方のサーバに登録し、第３方のサーバにより提供されたヒューマン・コンピュータインタラクションインタフェースを介して自分の銀行カード口座の取引情報を閲覧することができる。
【００３８】
図４は、本発明によるカード無しで現金引き出しする取引装置の好適な実施例の機能を示すブロック図である。該装置は、解析モジュール１０と、処理モジュール２０と、データ受送信モジュール３０と、審査モジュール４０と、を備える。
【００３９】
前記解析モジュール１０は、ユーザのカード無し現金引き出しの予約要求を受信した時、前記予約要求がカード無し現金引き出しの条件を満たす銀行間でのカード無し現金引き出しの予約要求であるか否かを判定するように構成される。
【００４０】
具体的に、本実施例において、前記カード無しで現金引き出しする取引装置は第１の銀行サーバであることが好ましい。データ受送信モジュール３０は、ユーザの登録及び第１の銀行サーバ上の前記ユーザに関連する情報の閲覧に供するヒューマン・コンピュータインタラクションインタフェースを提供し、該ヒューマン・コンピュータインタラクションインタフェースには、例えば銀行カード番号管理メニューなどの業務メニュー、取引情報調査、及びカード無し現金引き出し等の第１の銀行サーバにより提供される任意の業務操作情報がある。第１の銀行サーバへの登録ユーザ名と登録パスワードをログインし、該ユーザ名とユーザの唯一の通信手段とをバインドし、通信手段は携帯番号又はメールアドレス等の任意の唯一の通信手段であることができる。ユーザが、第１の銀行サーバのアプリケーションの端末をアップロードし、ログリンされた登録ユーザ名と登録パスワードで第１の銀行サーバに登録し、データ受送信モジュール３０により提供されたヒューマン・コンピュータインタラクションインタフェースを介して閲覧操作する。解析モジュール１０は、ユーザからのカード無し現金引き出しの予約要求を受信した時、前記予約要求がカード無し現金引き出しの条件を満たす銀行間でのカード無し現金引き出しの予約要求であるか否かを判定する。前記予約要求には、予約した銀行カード番号、予約したカード無し現金引き出し銀行の識別情報、引き出し金額、現金引き出しするユーザの携帯番号等が含まれている。解析モジュール１０は、ユーザのカード無し現金引き出しの予約要求を受信した時、該ユーザ名にバインドされた通信手段に対応するデスティネーションアドレスにランダムセキュリティコードを送信し、ユーザが端末上のヒューマン・コンピュータインタラクションインタフェースを介して前記セキュリティコードを入力した時、前記予約要求がカード無し現金引き出しの条件を満たすと判定し、予約要求における予約したカード無し現金引き出し銀行の識別情報を第１の銀行の識別情報と比較し、銀行間でのカード無し現金引き出しであるか否かを検証し、予約要求における予約したカード無し現金引き出し銀行の識別情報が第１の銀行の識別情報に一致しない場合に、当該カード無し現金引き出しの予約要求が銀行間でのカード無し現金引き出しの予約要求であると判定する。前記銀行識別情報は、銀行名又は該銀行が許可した現金引き出し端末の識別子等の銀行の具体的なタイプを識別できる情報であることができる。前記予約要求が銀行間でのカード無し現金引き出しの予約要求であるとともに、カード無し現金引き出しの条件を満たす場合には、処理モジュール２０は、予め記憶していた銀行サーバと銀行識別情報とのマッピング関係に基づいて、前記予約要求における銀行識別情報に対応する第２の銀行サーバを確定し、一方、前記予約要求がカード無し現金引き出しの条件を満たしていない場合には、データ受送信モジュール３０はユーザに予約失敗を報知し、ユーザに再度予約可能であることを報知する。前記予約要求が第１の銀行自身のカード無し現金引き出しの予約要求であり、且つカード無し現金引き出しの条件を満たす場合には、データ受送信モジュール３０は、ユーザがカード無しで現金引き出しすることのできる第１の銀行自身の任意の現金引き出し端末でカード無し現金引き出し操作を行うように、ユーザに予約成功を通知する。
【００４１】
前記処理モジュール２０は、前記予約要求が銀行間でのカード無し現金引き出しの予約要求であり、且つカード無し現金引き出しの条件を満たす場合に、予め記憶されている銀行サーバと銀行識別情報とのマッピング関係に基づいて、前記予約要求における銀行識別情報に対応する第２の銀行サーバを確定するように構成される。
【００４２】
前記データ受送信モジュール３０は、第２の銀行サーバが受信した銀行間でのカード無し現金引き出し情報に基づいて、制御している現金引き出し端末にユーザによるカード無し現金引き出し操作の受付を許可するように、前記予約要求に対応する銀行間でのカード無し現金引き出し情報を確定された第２の銀行サーバに通知するように構成される。
【００４３】
具体的に、前記予約要求が銀行間でのカード無し現金引き出しの予約要求であり、且つカード無し現金引き出しの条件を満たす場合、処理モジュール２０は、カード無し予約要求におけるカード無し現金引き出し銀行の識別情報を取得し、予め記憶されている銀行サーバと銀行識別情報とのマッピング関係に基づいて、前記予約要求における銀行識別情報に対応する第２の銀行サーバを確定し、即ち、ユーザが第２の銀行でカード無しで現金引き出しすると確定する。第２の銀行サーバが受信した銀行間でのカード無し現金引き出し情報に基づいて、制御している現金引き出し端末にユーザによるカード無し現金引き出し操作の受付を許可するように、データ受送信モジュール３０は、前記予約要求に対応する銀行間でのカード無し現金引き出し情報を確定された第２の銀行サーバに通知する。審査モジュール４０は、受信した銀行間でのカード無し現金引き出し情報を審査し、受信した銀行間でのカード無し現金引き出し情報が審査にパスした後、受信した銀行間でのカード無し現金引き出し情報に基づいて、制御している現金引き出し端末にユーザによるカード無し現金引き出し操作の受付を許可する。本実施例では、第１の銀行サーバがカード無しで現金引き出しする取引を制御することが好ましいが、本発明の他の実施例において、第３方のサーバによって制御することもでき、その具体的なプロセスは以下の通りである。第３方のサーバと各銀行サーバとの間に通信接続を確立してデータのやり取りを行う。また、ユーザが該第３方のサーバへの登録名と登録パスワードをログインし、該第３方のサーバのアプリケーションをアップロードして登録し、前記第３方のサーバはいずれの銀行口座番号のカード無し現金引き出しの予約要求も受信可能であり、受信した予約要求における予約内容を、銀行カード番号と銀行サーバとのマッピング関係に基づいて、前記カード無し現金引き出しの予約要求に対応する第１の銀行サーバを確定し、前記カード無し現金引き出しの予約要求を確定された第１の銀行サーバに送信し、また、前記予約要求が銀行間でのカード無し現金引き出しの予約要求であるか否かを解析し、予約要求における予約したカード無し現金引き出し銀行の識別情報を第１の銀行識別情報と比較して、銀行間でのカード無し現金引き出しであるか否かを検証し、予約要求における予約したカード無し現金引き出し銀行の識別情報が第１の銀行識別情報に一致しない場合に、該カード無し現金引き出しの予約要求が銀行間でのカード無し現金引き出しの予約要求であると判定する。第３方のサーバは、前記予約要求が銀行間でのカード無し現金引き出しの予約要求であり、且つカード無し現金引き出しの条件を満たす場合に、予め記憶されている銀行サーバと銀行識別情報とのマッピング関係に基づいて、前記予約要求における銀行識別情報に対応する第２の銀行サーバを確定し、第２の銀行サーバが受信した銀行間でのカード無し現金引き出し情報に基づいて、制御している現金引き出し端末にユーザによるカード無し現金引き出し操作の受付を許可するように、前記予約要求に対応する銀行間でのカード無し現金引き出し情報を確定された第２の銀行サーバに通知する。
【００４４】
本発明の他の実施例において、予約要求には、第２の銀行の特定の現金引き出し端末の識別情報が更に含まれることができ、前記特定の現金引き出し端末の識別情報は第２の銀行中の指定された一つの現金引き出し端末の識別子で、二次元コード等の、現金引き出し端末を区別できる任意の情報であることができる。第２の銀行サーバは、第１の銀行から送信されたカード無し現金引き出し情報を受信した時、受信したカード無し現金引き出し情報に含まれている第２の銀行の特定の現金引き出し端末の識別情報を取得し、受信した銀行間でのカード無し現金引き出し情報を審査する。受信した銀行間でのカード無し現金引き出し情報が審査にパスした後、第２の銀行サーバは、受信した銀行間でのカード無し現金引き出し情報中の第２の銀行の特定の現金引き出し端末の識別情報に基づいて、制御している、前記特定の現金引き出し端末の識別情報に対応する現金引き出し端末に、ユーザによるカード無し現金引き出し操作の受付を許可する。即ち、審査モジュール４０は、前記特定の現金引き出し端末の識別情報に対応する現金引き出し端末のみに、ユーザによるカード無し現金引き出し操作を受け付けるように許可し、ユーザはその予約要求に含まれている特定の現金引き出し端末の識別情報に対応する現金引き出し端末にてカード無し現金引き出し操作を行うしかできない。特定の現金引き出し端末の識別情報に対応する現金引き出し端末にカード無しの現金引き出しを許可することで、ユーザがカード無し現金引き出し情報により、任意の地域における現金引き出し端末でカード無し現金引き出し操作を行うことを防止し、資金管理リスクを低減する。
【００４５】
本実施例において、解析モジュール１０は、ユーザのカード無し現金引き出しの予約要求を受信した時、前記予約要求がカード無し現金引き出しの条件を満たす銀行間でのカード無し現金引き出し要求であるか否かを判定し、前記予約要求が銀行間でのカード無し現金引き出しの予約要求であり、且つカード無し現金引き出しの条件を満たす場合に、処理モジュール２０は、前記予約要求における銀行識別情報に対応する第２の銀行サーバを確定し、第２の銀行サーバが制御している端末にユーザによるカード無し現金引き出しの受付を許可するように、データ受送信モジュール３０によりカード無し現金引き出し情報を第２の銀行サーバに通知する。これにより、銀行間でのカード無し現金引き出しを実現し、ユーザが位置するエリアにおける最も近い現金引き出し端末にて即時にカード無しの現金引き出し操作を行うことができ、ユーザの体験を向上させることができる。
【００４６】
更に、前記解析モジュール１０は、制御している現金引き出し端末から送信されたカード無し現金引き出し要求を受信すると、予め記憶されている、第１の銀行サーバから受信された銀行間でのカード無し現金引き出し情報のうち、前記カード無し現金引き出し要求中のカード無し現金引き出し情報に合致するものがあるか否かを解析するように構成される。
【００４７】
前記処理モジュール２０は、予め記憶されている、第１の銀行サーバから受信された銀行間でのカード無し現金引き出し情報のうち、前記現金引き出し要求中の現金引き出し情報に合致するものがある場合に、カード無し現金引き出し要求を送信した現金引き出し端末を、カード無し現金引き出し操作を行うように制御するように構成される。
【００４８】
具体的に、第２の銀行サーバは、第１の銀行サーバから送信された銀行間でのカード無し現金引き出し情報を受信した時、第２の銀行サーバにより制御されている現金引き出し端末にユーザによるカード無し現金引き出し操作の受付を許可した後、該銀行間でのカード無し現金引き出し情報を予め記憶する。第２の銀行サーバは、制御している許可済みの現金引き出し端末から送信されたカード無し現金引き出し要求を受信した時、予め記憶されている、第１の銀行サーバから受信された銀行間でのカード無し現金引き出し情報のうち、前記カード無し現金引き出し要求中のカード無し現金引き出し情報に合致するものがあるか否かを解析する。第２の銀行サーバは、予め記憶されている、第１の銀行サーバから受信された銀行間でのカード無し現金引き出し情報のうち、前記現金引き出し要求中の現金引き出し情報に合致するものがある場合に、カード無し現金引き出し要求を送信した現金引き出し端末を、カード無し現金引き出し操作を行うように制御する。一方、予め記憶されている、第１の銀行サーバから受信された銀行間でのカード無し現金引き出し情報のうち、前記カード無し現金引き出し要求中のカード無し現金引き出し情報に合致するものがない場合に、ユーザに、カード無しの現金引き出しに失敗し、正確なカード無し現金引き出し情報を再び入力することを報知する。カード無しの現金引き出しを予約した有効期限が設定された場合には、前記カード無し現金引き出し要求が有効期限を超えているか否かを解析し、有効期限を超えていない時、解析モジュール１０は、予め記憶されている、第１の銀行サーバから受信された銀行間でのカード無し現金引き出し情報のうち、前記カード無し現金引き出し要求中のカード無し現金引き出し情報に合致するものがあるか否かを解析し、即ち、許可された現金引き出し端末から送信されたユーザの登録ユーザ名と登録パスワードが前記予約要求における登録名と登録パスワードと一致するか否かを解析し、許可された現金引き出し端末から送信されたユーザの登録ユーザ名と登録パスワードが前記予約要求における登録名と登録パスワードに一致する時、カード無し現金引き出し要求を送信した現金引き出し端末を、カード無し現金引き出し操作を行うように制御する。また、有効期限を超えた時、ユーザにカード無し現金引き出し操作を行うことができないことを報知する。あるいは、第２のサーバが許可したカード無しで現金引き出し可能な現金引き出し端末から送信されたカード無し現金引き出し要求を受信した時、データ受送信モジュール３０がカード無し現金引き出し要求を第１の銀行サーバに通知し、第１の銀行サーバがランダムパスワードを該ユーザ名にバインドされた通信手段のデスティネーションアドレスに送信し、第２の銀行サーバがユーザから現金引き出し端末を介して送信されたランダムパスワードが第１の銀行サーバからの該カード無し現金引き出し要求に対応するランダムパスワードに一致するか否かを検証し、一致する時、カード無し現金引き出し要求を送信した現金引き出し端末を、カード無し現金引き出し操作を行うように制御し、即ち、ユーザは該現金引き出し端末にて予約要求に含まれている引き出し金額の引き出し操作を行うことができる。一致しない時、ユーザに正確なランダムパスワードを入力するように促し、間違った入力が３回に達した後、該ランダムパスワードが失効し、ユーザにランダムパスワードの再度取得を促す。
【００４９】
更に、前記処理モジュール２０は、カード無し現金引き出し操作に成功した後、前記カード無し現金引き出しの予約情報に取引完成フラグを設定し、前記取引完成フラグが設定されたカード無し現金引き出しの予約情報をデータ受送信モジュールにより第１の銀行サーバに送信するように構成される。
【００５０】
具体的に、ユーザが第２の銀行サーバにより許可された現金引き出し端末を介して、銀行間でのカード無し現金引き出し操作を成功に完成した後、処理モジュール２０は、前記カード無し現金引き出しの予約情報に取引完成フラグを設定し、前記取引完成フラグが設定されたカード無し現金引き出しの予約情報を第１の銀行サーバに送信する。即ち、前記予約要求に対応する銀行カード番号に対応する取引情報を第１の銀行サーバに送信することによって、ユーザは、第１の銀行サーバのアプリケーションの端末をアップロードして第１の銀行サーバに登録し、第１の銀行サーバにより提供されたヒューマン・コンピュータインタラクションインタフェースを介して自分の銀行カードの取引情報を閲覧し、自分の銀行カード口座の資金取引情報を即時に管理して自分の資金を合理的に配分することができる。本発明の他の実施例において、第２の銀行サーバは、前記カード無し現金引き出しの予約情報に取引完成フラグを設定し、前記取引完成フラグが設定されたカード無し現金引き出しの予約情報を第３方のサーバに送信してもよい。即ち、前記予約要求に対応する銀行カード番号に対応する取引情報を第３方のサーバに送信することによって、ユーザは、第３方のサーバのアプリケーションの端末をアップロードして第３方のサーバに登録し、第３方のサーバにより提供されたヒューマン・コンピュータインタラクションインタフェースを介して自分の銀行カード口座の取引情報を閲覧することができる。
【００５１】
以上は、本発明の好適な実施例にすぎず、本発明の保護範囲を限定するものではなく、本発明の明細書及び図面に開示された内容を利用して行う同等構造又は同等プロセスの変換、又は直接あるいは間接に他の関連する技術分野に応用したものは全て本発明の保護範囲に含まれる。
【図１】
0006325095.tif 000002
【図２】
0006325095.tif 000003
【図３】
0006325095.tif 000004
【図４】
0006325095.tif 000005